(57)【要約】【課題】水硬性材料の安定した運搬、保管等を行なうことができる手段を提供することを課題とする。【解決手段】真空包装用材料からなり、該真空包装用材料の表面に摩擦抵抗を大きくする加工層を有した水硬性材料真空包装用容器；水硬性材料を該水硬性材料真空包装用容器に供給し、該水硬性材料真空包装用容器を真空状態に維持して封緘することを特徴とする、水硬性材料の包装方法、及び水硬性材料と、該水硬性材料真空包装用容器とを備え、該水硬性材料が、該水硬性材料真空包装用容器内に収容され、該水硬性材料真空包装用容器内が真空状態に維持され、かつ該水硬性材料真空包装用容器の表面に摩擦抵抗を大きくする加工層を有した水硬性材料包装物。【選択図】なし【特許請求の範囲】
【請求項１】
真空包装用材料からなり、該真空包装用材料の表面に摩擦抵抗を大きくする加工層を有してなる、水硬性材料真空包装用容器。
【請求項２】
該加工層が、粘着材料からなる層、又は凹凸面を有する層である、請求項１記載の水硬性材料真空包装用容器。
【請求項３】
水硬性材料を請求項１又は２記載の水硬性材料真空包装用容器に供給し、該水硬性材料真空包装用容器を真空状態に維持して封緘することを特徴とする、水硬性材料の包装方法。
【請求項４】
該水硬性材料が、セメントである、請求項３記載の水硬性材料の包装方法。
【請求項５】
水硬性材料と、
請求項１又は２記載の水硬性材料真空包装用容器と、
を備え、該水硬性材料が、該水硬性材料真空包装用容器内に収容されてなり、該水硬性材料真空包装用容器内が真空状態に維持されてなり、かつ該水硬性材料真空包装用容器の表面に摩擦抵抗を大きくする加工層を有してなる、水硬性材料包装物。
【請求項６】
該水硬性材料が、セメントである、請求項５記載の水硬性材料包装物。
【発明の詳細な説明】
【技術分野】
【０００１】
本発明は、水硬性材料真空包装用容器、水硬性材料の包装方法及び水硬性材料包装物に関する。より詳しくは、本発明は、例えば、セメント等の水硬性材料の安定した運搬及び／又は保管を行なうことができる、水硬性材料真空包装用容器、水硬性材料の包装方法及び水硬性材料包装物に関する。
【背景技術】
【０００２】
水硬性材料は、土木建築材料等として広く用いられている。前記水硬性材料、例えば、セメントの場合、該セメントの運搬は、該セメントを、トンパック、セメント用紙袋等で梱包し、袋セメントととして、トラック等の荷台に積載し、輸送すること等により行なわれている。また、この場合、梱包された水硬性材料、例えば、セメントは、倉庫等に山積みにされ、保管されている。
【０００３】
しかしながら、例えば、トンパック、セメント用紙袋等に梱包されたセメント等は、落下等により、トンパック、セメント用紙袋等が破裂する場合があるという問題点がある。
【０００４】
一方、前記破裂を防ぐべく、強度が高く変形しにくい材料によってセメント等を梱包した場合、得られた梱包物は、運搬に際し、振動等により荷崩れを起こす場合があるという問題点がある。
【発明の開示】
【発明が解決しようとする課題】
【０００５】
本発明は、上記従来の技術の問題点に鑑みてなされたものであり、水硬性材料、例えば、袋セメント等の運搬及び／又は保管時における安定性を向上させることができる、水硬性材料真空包装用袋を提供することを１つの課題とする。また、本発明は、前記水硬性材料を安定した運搬及び／又は保管を行なうに適した状態に包装することができる、水硬性材料の包装方法を提供することをさらなる課題とする。さらに、本発明は、水硬性材料の安定した運搬及び／又は保管を行なうことができる、水硬性材料包装物を提供することを他の課題とする。なお、本発明の他の課題は、本明細書の記載から明らかである。
【課題を解決するための手段】
【０００６】
すなわち、本発明は、前記課題に鑑みてなされたものであり、１つの側面では、真空包装用材料からなり、該真空包装用材料の表面に摩擦抵抗を大きくする加工層を有した水硬性材料真空包装用容器に関する。また、本発明は、他の側面では、水硬性材料を前記水硬性材料真空包装用容器に供給し、該水硬性材料真空包装用容器を真空状態に維持して封緘することを特徴とする、水硬性材料の包装方法に関する。さらに、本発明は、別の側面では、水硬性材料と、
前記水硬性材料真空包装用容器と、
を備え、該水硬性材料が、該水硬性材料真空包装用容器内に収容され、該水硬性材料真空包装用容器内が真空状態に維持され、かつ該水硬性材料真空包装用容器の表面に摩擦抵抗を大きくする加工層を有した水硬性材料包装物に関する。
【発明の効果】
【０００７】
本発明の水硬性材料真空包装用容器によれば、水硬性材料、例えば、袋セメント等の運搬及び／又は保管時における安定性を向上させることができるという優れた効果を奏する。また、本発明の水硬性材料の包装方法によれば、前記水硬性材料を安定した運搬及び／又は保管を行なうに適した状態に包装することができるという優れた効果を奏する。さらに、本発明の水硬性材料包装物によれば、水硬性材料の安定した運搬及び／又は保管を行なうことができるという優れた効果を奏する。
【発明を実施するための最良の形態】
【０００８】
本発明は、１つの側面では、真空包装用材料からなり、該真空包装用材料の表面に摩擦抵抗を大きくする加工層を有した水硬性材料真空包装用容器に関する。
【０００９】
本発明の水硬性材料真空包装用容器は、真空包装用材料の表面に摩擦抵抗を大きくする加工層を有していることに１つの大きな特徴がある。
【００１０】
前記加工層としては、例えば、粘着材料からなる層、凹凸面を有する層等が挙げられる。
【００１１】
前記粘着材料としては、例えば、ゴム系粘着材料、アクリル系粘着材料、ポリウレタン、シリコン等が挙げられる。
【００１２】
前記凹凸面を有する層としては、２以上の該真空包装用材料間に生じる摩擦抵抗に比べ大きい摩擦抵抗を示す層であればよく、具体的には、例えば、微粒子を含有した被覆層；薬剤処理層；エンボス加工層等が挙げられる。前記微粒子としては、例えば、シリカ、酸化アルミニウム等が挙げられる。
【００１３】
前記微粒子の平均粒径は、有効な摩擦抵抗を得る観点から、好ましくは、１００μｍ以上、加工層の経済性の観点から、好ましくは、５０００μｍ以下であることが望ましい。前記微粒子を含有した被覆層は、例えば、前記微粒子を、エポキシ樹脂等のコーティング材に溶解させ、得られた溶液を真空包装用材料の表面に塗布し乾燥させること、微粒子を真空包装用材料の表面に吹き付け定着させることにより形成させられうる。
【００１４】
前記薬剤処理層とは、薬剤により処理され、表面が荒れた状態となっている層をいう。前記薬剤としては、真空包装用材料の材質により適宜選択されうる。
【００１５】
前記エンボス加工層は、例えば、真空包装材の製造時に、凹凸の加工が施されたロールの間に真空包装用材料を通すこと等により形成されうる。
【００１６】
前記真空包装用材料としては、目的とする保管期間、所定の真空度を保持できるよう、要求性能に応じて、空気遮断性（例えば、二酸化炭素遮断性、酸素遮断性等）を示す物質からなる単独材料又は少なくとも２種の前記単独材料の組み合わせからなる積層体材料を選定し、かつ厚さを選定すればよい。前記真空包装用材料としては、具体的には、例えば、ポリアミド系樹脂、シリコン、ポリ塩化ビニルデン、ポリプロピレン、ポリオレフィン、アルミニウム、エチレンビニルアルコール、ナイロン、ポリエチレンテフタレート、ポリエチレン等のうちの１種の物質、該物質の混合物及び該物質から得られる化合物のいずれかからなる単独材料又は少なくとも２種の前記単独材料の層が積層された積層体材料等が挙げられる。より具体的には、前記真空包装用材料としては、例えば、ナイロンからなる単独材料の層とポリプロピレンからなる単独材料の層とが積層された積層体材料、アルミニウムからなる単独材料の層とポリエチレンテフタレートからなる単独材料の層とポリエチレンからなる単独材料の層とが積層された積層体材料等が挙げられる。
【００１７】
本発明の水硬性材料真空包装用容器の形状としては、例えば、袋状、箱状等が挙げられる。
【００１８】
本発明の水硬性材料真空包装用容器は、真空包装用材料の表面に加工層を設け、その後、容器を形成させること、容器を形成させ、その後、容器の真空包装用材料の表面に加工層を設けることにより製造されうる。
【００１９】
本発明は、他の側面では、水硬性材料を前記水硬性材料真空包装用容器に供給し、該水硬性材料真空包装用容器を真空状態に維持して封緘することを特徴とする、水硬性材料の包装方法に関する。
【００２０】
本発明の水硬性材料の包装方法は、前記水硬性材料真空包装用容器が用いられていることに１つの大きな特徴がある。そのため、本発明の包装方法によれば、前記水硬性材料真空包装用容器により水硬性材料が包装され、摩擦抵抗を大きくする加工層を表面に有する水硬性材料包装物を得ることができる。
【００２１】
本明細書においては、前記「真空状態」とは、標準状態から減圧された状態を指し、好ましくは、１０Ｐａ〜１０4Ｐａ、より好ましくは、１０2Ｐａ〜１０3Ｐａの状態をいう。本発明の包装方法においては、水硬性材料が収容された前記水硬性材料真空包装用容器を真空状態に維持して封緘するプロセスが行なわれるため、大気中の空気、水分等と、水硬性材料との接触を実質的に抑制することが可能な水硬性材料包装物を得ることができる。そのため、本発明の包装方法によれば、水硬性材料を長期間安定的に保管することが可能な水硬性材料包装物を簡便に得ることができる。
【００２２】
前記水硬性材料としては、例えば、セメント、石膏、高炉スラグ微粉末やフライアッシュ等のコンクリート用混和材、コンクリート用膨張材、左官用モルタル、建築仕上材、充填材、グラウト材等が挙げられる。前記セメントとしては、具体的には、例えば、普通、早強、超早強、白色、耐硫酸塩、中庸熱、低熱等の各種ポルトランドセメント、該ポルトランドセメントに高炉スラグ、フライアッシュ等を混合した混合セメント；ジェットセメント、アルミナセメント等の特殊セメント；セメント系固化材等が挙げられる。
【００２３】
本発明の包装方法としては、具体的には、例えば、
（Ａ）水硬性材料を、前記水硬性材料真空包装用容器に供給する工程、及び
（Ｂ）前記工程（Ａ）で得られた水硬性材料が収容された水硬性材料真空包装用容器を、真空状態に維持して、該水硬性材料真空包装用容器の開口を、封緘する工程、
を含む方法が挙げられる。
【００２４】
なお、本発明の包装方法において、前記水硬性材料真空包装用容器の内側には、セメント袋として慣用のクラフト紙袋等の水硬性材料を収容するための慣用の水硬性材料収容用容器を収容し、かつ該水硬性材料収容用容器内に水硬性材料を収容することにより、容器を二重の状態となるようにしてもよい。これにより、より高い安定性で、より長期間にわたって、水硬性材料を保管することができる水硬性材料包装物を得ることができる。前記クラフト紙袋としては、例えば、ＪＩＳ  Ｚ１５０５（１９９９年）  「クラフト紙袋−セメント用」等が挙げられる。
【００２５】
本発明の包装方法には、例えば、慣用の真空包装装置が用いられうる。前記真空包装装置としては、例えば、
水硬性材料真空包装用容器を保持する容器保持器具が内設され、減圧バルブと復圧バルブとが設けられている減圧自在の真空チャンバーと、
該真空チャンバーに該減圧バルブを介して連結された真空ポンプと、
該水硬性材料真空包装用容器の開口を閉じるシール装置と、
該真空チャンバーの内部に連通して設けられた圧力センサと、
該真空ポンプとシール装置とを制御する制御装置と
を有し、
該制御装置が、水硬性材料が水硬性材料真空包装用容器に収容された後、該真空ポンプを作動させて、真空チャンバー内部を減圧させ、ついで、該シール装置を作動させて、水硬性材料真空包装用容器の開口を封緘させるように制御するように構成された真空包装装置等が挙げられる。
【００２６】
前記容器保持器具としては、水硬性材料真空包装用容器を、少なくとも開口が封緘されるまで保持できるものであればよく、フック等が挙げられる。
【００２７】
前記真空チャンバーは、減圧条件に耐えうるものであればよく、その形状、材質等に特に限定されるものではなく、適宜選択されうる。また、前記真空チャンバーは、内部に水硬性材料真空包装用容器を保持できる大きさであればよい。
【００２８】
前記真空ポンプは、減圧バルブを介して前記真空チャンバーと連結され、減圧バルブから真空チャンバー内の空気を減圧させるように配されている。前記真空ポンプには、慣用のものが用いられうる。
【００２９】
前記シール装置としては、水硬性材料真空包装用容器の開口を封緘できるものであればよく、例えば、ヒートシーラー等が挙げられる。
【００３０】
前記真空包装装置においては、例えば、水硬性材料が水硬性材料真空包装用容器内に収容されたことの情報の入力により、制御装置は、真空ポンプを作動させる。これにより、減圧バルブを介して真空チャンバー内の減圧が開始される。同時に、前記真空チャンバーの内部に連通して設けられた圧力センサからの該チャンバー内の減圧状態の情報が前記制御装置に入力されることにより、該制御装置が、真空ポンプの作動状態を制御する。これにより、真空チャンバー内が、例えば、２００Ｐａの真空状態に調整される。ここで、真空チャンバー内が真空状態になることにより、水硬性材料真空包装用容器の内部も真空状態となる。加えて、水分が存在していた場合には、水硬性材料真空包装用容器の内側から、該水分が除去される。ついで、前記真空チャンバー内部が真空状態になったことの情報が圧力センサから制御装置に入力されることにより、該制御装置は、シール装置を作動させる。これにより、水硬性材料真空包装用容器の開口が、封緘される。その後、復圧バルブが開かれ、真空チャンバー内部の真空状態が大気圧に戻される。これにより、水硬性材料包装物が得られる。
【００３１】
本発明の包装方法によれば、前記水硬性材料を安定した運搬及び／又は保管を行なうに適した状態に包装することができ、表面に摩擦抵抗を大きくする加工層を有する水硬性材料包装物を得ることができるという優れた効果を発揮する。
【００３２】
本発明は、別の側面では、水硬性材料と、
前記水硬性材料真空包装用容器と、
を備え、該水硬性材料が、該水硬性材料真空包装用容器内に収容され、該水硬性材料真空包装用容器内が真空状態に維持され、かつ該水硬性材料真空包装用容器の表面に摩擦抵抗を大きくする加工層を有した水硬性材料包装物に関する。
【００３３】
本発明の水硬性材料包装物は、水硬性材料を、本発明の包装方法にしたがって包装することにより得られうる。
【００３４】
本発明の水硬性材料包装物は、水硬性材料真空包装用容器の表面に摩擦抵抗を大きくする加工層を有するため、運搬及び／又は保管時に積載した場合、振動等の物理的衝撃を受けても、該加工層による大きい摩擦抵抗の発生により包装物同士の積載位置のずれの発生が抑制される。そのため、本発明の水硬性材料包装物によれば、荷崩れが抑制されるため、水硬性材料の安定した運搬及び／又は保管を行なうことができる。
【００３５】
本発明の水硬性材料包装物は、水硬性材料真空包装用容器の内部に、水硬性材料が真空状態で維持されているため、本発明の水硬性材料包装物によれば、水硬性材料と大気中の水分、空気等との接触が実質的に抑制できる。そのため、本発明の水硬性材料包装物によれば、水硬性材料を、長期間にわたって保管することも可能になるという優れた効果を発揮する。また、本発明の水硬性材料包装物によれば、水硬性材料が真空状態で保持されているため、通常状態（非真空状態）において容器内に含まれうる水分による該水硬性材料の風化が実質的に抑制され、該水硬性材料の品質を良好な状態で安定的に維持して該水硬性材料を保管することができる。
【００３６】
また、本発明の水硬性材料包装物は、例えば、従来の袋入りセメントに比べ、同重量での容積が顕著に小さいため、保管や運搬時における省スペース化の点でも有利である。
【産業上の利用可能性】
【００３７】
本発明によれば、水硬性材料の安定した運搬、保管等を行なうことができる。